(57)【要約】【課題】容易かつ経済的に実施できる、排水効率に優れた導水Ｕ字溝ブロック、及び既設のＵ字溝を導水Ｕ字溝に改修する方法を開発する。【解決手段】側壁（３）上部に、水平段部（４）とその外側に立設した垂直壁（５）からなる蓋受部を有するＵ字溝において、垂直壁（５）に切欠部（６）を設け、その切欠部（６）に、略直方体形状をなし表裏に貫通する複数のスリット孔（８）を有するコンクリートで形成した導水体（７）を接着剤を介して装着する。導水体（７）は既設のＵ字溝に装着することもできる。導水体はコンクリートで形成するから、強度を十分なものとすることができ、スリット孔を多数設けて十分な開口面積とし、排水効率を高くできる。導水体はＵ字溝本体と別体で製造するので、容易に製造することができる。【選択図】      図１
2004225385.tif 000002
【特許請求の範囲】
【請求項１】
底板（２）とその両側から対向して立設する側壁（３）で断面がＵ字状に形成され、側壁（３）上部に、水平段部（４）とその外側に立設した垂直壁（５）からなる蓋受部を有し、垂直壁（５）に切欠部（６）を設け、その切欠部（６）に、略直方体形状をなし表裏に貫通する複数のスリット孔（８）を有するコンクリートで形成した導水体（７）を接着剤を介して装着したことを特徴とする導水Ｕ字溝ブロック
【請求項２】
請求項１の導水Ｕ字溝ブロックにおいて、前記導水体（７）が高流度コンクリートで形成したものであることを特徴とする導水Ｕ字溝ブロック
【請求項３】
請求項１又は２の導水Ｕ字溝ブロックにおいて、前記導水体（７）のスリット孔（８）が開口する内側の面が、前記垂直壁（５）の内側の面よりも外側に引っ込んでいることを特徴とする導水Ｕ字溝ブロック
【請求項４】
請求項３の導水Ｕ字溝ブロックにおいて、前記導水体（７）の上面の幅が前記垂直壁（５）の上面の幅と同じに形成されていることを特徴とする導水Ｕ字溝ブロック
【請求項５】
請求項１、２、３又は４の導水Ｕ字溝ブロックにおいて、前記導水体（７）の装着部分の水平段部（４）に、その他の部分よりも低く切り下げた切下部１３を形成したことを特徴とする導水Ｕ字溝ブロック
【請求項６】
底板（２）とその両側から対向して立設する側壁（３）で断面がＵ字状に形成され、側壁（３）上部に、水平段部（４）とその外側に立設した垂直壁（５）からなる蓋受部を有する既設のＵ字溝の前記垂直壁（５）に切欠部（６）を切り欠く工程と、その切欠部（６）に、略直方体形状をなし表裏に貫通する複数のスリット孔（７）を有するコンクリートで形成した導水体（７）を接着剤を介して装着する工程を有することを特徴とする既設のＵ字溝を導水Ｕ字溝に改修する方法
【請求項７】
請求項６の方法において、前記導水体（７）が高流度コンクリートで形成したものであることを特徴とする既設のＵ字溝を導水Ｕ字溝に改修する方法
【請求項８】
請求項６又は７の方法において、前記導水体（７）のスリット孔（８）が開口する内側の面が、前記垂直壁（５）の内側の面よりも外側に引っ込んでいることを特徴とする既設のＵ字溝を導水Ｕ字溝に改修する方法
【請求項９】
請求項６、７又は８の方法において、前記導水体（７）の上面の幅が前記垂直壁（５）の上面の幅と同じに形成されていることを特徴とする既設のＵ字溝を導水Ｕ字溝に改修する方法
【発明の詳細な説明】
【０００１】
【発明の属する技術分野】
本発明は、透水性舗装内を流れる雨水（伏流水）を排水する導水Ｕ字溝を施工するための導水Ｕ字溝ブロック、及び、既設の通常のＵ字溝を導水Ｕ字溝に改修する方法に関する。
【０００２】
【従来の技術】
図８は従来の導水Ｕ字溝の断面説明図である。導水Ｕ字溝の側壁３の上部には、水平段部４とその外側に立設する垂直壁５からなる蓋受部が形成され、該蓋受部には蓋１１が装着される。蓋受部の下には導水孔２０が貫通形成されている。導水孔２０は断面が円形又は長円形などで、長さ方向に１ｍ近く又はそれ以上の間隔で設けられている。導水孔２０の外側には、舗装材が侵入しないようにフィルター２１が設けられ、その外側には、多孔材料でなる集水管２０が長さ方向に沿って敷設されている。導水Ｕ字溝に隣接する道路は路盤上に不透水層１５が設けられ、その上の表面に透水性舗装１４が施工されている。透水性舗装１４上に降った雨水は透水性舗装１４内にしみ込み、透水性舗装１４内を伏流水として流れ、集水管２２内に集まる。さらに、集水管２２から導水孔２０を経て導水Ｕ字溝内に排水される。
【０００３】
【発明が解決しようとする課題】
従来の導水Ｕ字溝は、上記のように、導水孔２０がかなりの間隔をあけて所々に設けられているために、それだけでは排水効率が悪く、外部に集水管２２を設けなければならず、さらに導水孔２０が円形又は長円形断面のために、その外側には舗装材が侵入しないようにフィルター２１を設ける必要があり不経済であった。また、導水孔２０は蓋受部よりも下に設けるので、透水性舗装の層を厚く設けなければならない不経済もあった。さらに、既設のＵ字溝をこのような導水Ｕ字溝に改修するには、蓋受部の下の側壁３の肉厚の部分に導水孔を穿設することが困難で、作業手間からもコストからも実用的でなかった。
【０００４】
本発明は、容易に製造できて経済的であり、排水効率に優れた導水Ｕ字溝ブロックを開発すること、及び、既設のＵ字溝を容易かつ安価に導水Ｕ字溝に改修できる方法を開発することを課題としてなされたものである。
【０００５】
【課題を解決するための手段】
本発明は、底板とその両側から対向して立設する側壁で断面がＵ字状に形成され、側壁上部に、水平段部とその外側に立設した垂直壁からなる蓋受部を有し、垂直壁に切欠部を設け、その切欠部に、略直方体形状をなし表裏に貫通する複数のスリット孔を有するコンクリートで形成した導水体を接着剤を介して装着したことを特徴とする導水Ｕ字溝ブロックである。
【０００６】
導水体はコンクリートで形成するから、強度を十分なものとすることができ、スリット孔を多数設けて十分な開口面積とし、排水効率を高くできるので、外部に集水管を敷設する必要がない。さらに、導水体は蓋受部の垂直壁に装着するので、透水性舗装の層を薄くすることができ、経済的となる。
【０００７】
導水体を高流動コンクリートで形成すると、きわめて細いスリット孔を設けることが可能となり、スリット孔を細くすると舗装材がスリット孔内部に侵入しないので、フィルターが不要となる。高流動コンクリートは、流動性が高くなるようなセメント、水、骨材の配合に加えて高性能減水剤、増粘剤、分離低減剤などを加えたもので、自己充填性を有するコンクリートの総称である。
【０００８】
また、本発明は、底板とその両側から対向して立設する側壁で断面がＵ字状に形成され、側壁上部に、水平段部とその外側に立設した垂直壁からなる蓋受部を有する既設のＵ字溝の前記垂直壁に切欠部を切り欠く工程と、その切欠部に、略直方体形状をなし表裏に貫通する複数のスリット孔を有する高流度コンクリートで形成した導水体を接着剤を介して装着する工程を有することを特徴とする既設のＵ字溝を導水Ｕ字溝に改修する方法である。
【０００９】
蓋受部の垂直壁を切り欠く工程は、側溝の最上部を切り欠くものであるから容易に行うことができる。導水体は高流度コンクリートで形成するので、細いスリット孔を設けることが可能であり、フィルターが不要となる。また、強度も十分なものとすることができるので、スリット孔を多数設けて十分な開口面積とし、排水効率を高くできるから、外部に集水管を敷設する必要がない。さらに、導水体は蓋受部の垂直壁に装着するので、透水性舗装の層を薄くすることができる。したがって、通常のＵ字溝から導水Ｕ字溝への改修を容易かつ安価に行うことができる。
【００１０】
導水体のスリット孔が開口する内側の面を、垂直壁の内側の面よりも外側にに引っ込んでいるようにすると、スリット孔の出口と蓋の側面との間に隙間ができ、水がスリット孔からＵ字溝へ流れ込みやすくなる。
【００１１】
このとき、導水体の上面の幅を垂直壁の上面の幅と同じに形成しておくと、Ｕ字溝の地上に露出する部分の見栄えが良くなる。
【００１２】
また、導水体の装着部分の水平段部に、その他の部分よりも低く切り下げた切下部を形成すると、この切下部と蓋の底面との間に隙間ができるので、水がスリット孔からＵ字溝へ流れ込む水の通り道が確保される。
【００１３】
【発明の実施の形態】
以下、実施例に関する図面に基づいて、本発明を詳細に説明する。図１は実施例の導水Ｕ字溝ブロック１の斜視図、図２は導水体７の斜視図、図３は導水体７の装着部の一例の斜視図、図４は導水Ｕ字溝の一例の要部断面図、図５は導水体７の装着部の一例の斜視図、図６は導水Ｕ字溝の一例の要部断面図、図７は図４の導水孔に用いる蓋の斜視図である。
【００１４】
図１において、導水Ｕ字溝ブロック１は、底板２とその両側から対向して立設する側壁３で断面がＵ字状に形成されている。側壁３の上部には、水平段部４とその外側に立設した垂直壁５からなる蓋受部を有し、垂直壁５に切欠部６を設け、その切欠部６に導水体７を接着剤（ポリマーセメントなど）で接着して装着している。新規の導水Ｕ字溝ブロックを製造する場合は、型枠で導水Ｕ字溝ブロック本体を製造する際に、切欠部６を設けた状態で製造する。導水体７はＵ字溝本体とは別途に高流動コンクリートで形成されたもので、略直方体形状をなし表裏に貫通する複数のスリット孔８を有する。なお、図１の例では２つの側壁３の双方に導水体７が装着されているが、通常は一方の側壁のみに導水体が装着される。
【００１５】
図２において、導水体７は略直方体形状をなし表裏に貫通する複数のスリット孔８を有する。スリット孔８が開口する内側の面は、上縁及び左右の縁で門形をなす縁部１０を除く部分が引っ込んだ凹面９となっており、スリット孔８の内端はこの凹面９に開口している。
【００１６】
導水体７は、外形を成形する概略箱状をなす型枠本体の中に、スリット孔８を成形する複数の中子を装着した型枠で成形する。この型枠内に高流動コンクリートを充填すると、自己充填性によってコンクリートが型枠の隅々まで行き渡るから、細いスリット孔８を短いピッチ（間隔）で、多数設けることができる。コンクリート硬化後に型枠本体を脱型し、しかる後に中子を取り除くことで、導水体７を成形することができる。スリット孔８は外側よりも内側が大きい、いわゆる抜け勾配を有するから、中子を容易に取り除くことができる。
【００１７】
図３、４において、導水体７は垂直壁５に形成した切欠部６に接着剤を介して装着されている。切欠部６はその底面が水平段部４と同一面となるように切り欠かれている。導水体７の上面の幅は垂直壁５の上面の幅と等しくなっている。また、導水体７の上面は垂直壁５の上面と同一面となっている。スリット孔８は、いわゆる抜け勾配により、外側よりも内側の方が幅広く、かつ、長くなるように形成されている。
【００１８】
図４に用いられている蓋１１は、図７に示すように、下面に凹部１２が形成されている。凹部１２は導水体７が装着される位置に設けられる。凹面９によりスリット孔８の内側開口と蓋１１の側面の間に隙間が形成され、凹部１２により水平段部４と蓋１１との間に隙間が形成され、透水性舗装１４からスリット孔８に流れ込んだ水がこれらの隙間を通って確実にＵ字溝内に流れ込むことができる。
【００１９】
図５、６において、導水体７は垂直壁５に形成した切欠部６に接着剤を介して装着されている。水平段部４には、その他の部分よりも低く切り下げた切下部１３が形成されている。切欠部６はその底面が切下部１３同一面となるように切り欠かれている。導水体７の上面の幅は垂直壁５の上面の幅と等しくなっている。また、導水体７の上面は垂直壁５の上面と同一面となっている。スリット孔８は、いわゆる抜け勾配により、外側よりも内側の方が幅広く、かつ、長く形成されている。
【００２０】
図６に用いられている蓋１１は凹部などが形成されていない通常の蓋である。凹面９によりスリット孔８の内側開口端と蓋１１の側面の間に隙間が形成され、切下部１３により蓋１１の底面と切下部１３の間に隙間が形成され、透水性舗装１４からスリット孔８に流れ込んだ水がこれらの隙間を通って確実にＵ字溝内に流れ込むことができる。
【００２１】
図３ないし６は、新規に製造する導水Ｕ字溝ブロックにも当てはまるし、既設のＵ字溝を導水Ｕ字溝に改修した場合にも当てはまるものである。
【００２２】
【発明の効果】
本発明の導水Ｕ字溝ブロックは、細いスリット孔とすることができるのでフィルターが不要であり、スリット孔の面積を十分とることができるので外部に集水管を敷設する必要が無く、透水性舗装の層を薄くすることができるので安価かつ容易に導水Ｕ字溝を施行することが可能となる。
【００２３】
本発明の既設のＵ字溝を導水Ｕ字溝に改修する方法は、本発明の導水Ｕ字溝ブロックの場合と同様に、細いスリット孔とすることができるのでフィルターが不要であり、スリット孔の面積を十分とることができるので外部に集水管を敷設する必要が無く、透水性舗装の層を薄くすることができる、という効果を有し、さらに蓋受部の垂直壁を切り欠く工程は、側溝の最上部を切り欠くものであるから容易に行うことができ、通常のＵ字溝から導水Ｕ字溝への改修を容易かつ安価に行うことができる。
【図面の簡単な説明】
【図１】実施例の導水Ｕ字溝ブロック１の斜視図である。
【図２】導水体７の斜視図である。
【図３】導水体７の装着部の一例の斜視図である。
【図４】導水Ｕ字溝の一例の要部断面図である。
【図５】導水体７の装着部の一例の斜視図である。
【図６】導水Ｕ字溝の一例の要部断面図である。
【図７】図４の導水孔に用いる蓋の斜視図である。
【図８】従来の導水Ｕ字溝の断面説明図である。
【符号の説明】
１  導水Ｕ字溝ブロック
２  底板
３  側壁
４  水平段部
５  垂直壁
６  切欠部
７  導水体
８  スリット孔
９  凹面
１０  縁部
１１  蓋
１２  凹部
１３  切下部
１４  透水性舗装
１５  不透水層
２０  導水孔
２１  フィルター
２２  集水管
【図１】
2004225385.tif 000003
【図２】
2004225385.tif 000004
【図３】
2004225385.tif 000005
【図４】
2004225385.tif 000006
【図５】
2004225385.tif 000007
【図６】
2004225385.tif 000008
【図７】
2004225385.tif 000009
【図８】
2004225385.tif 000010